(57)【要約】【課題】  回路基板とアンテナ装置との両者の設置位置がずれても、確実に両者を接続することができるフレキシブル基板を提供する。【解決手段】  回路基板とアンテナ装置とを電気的に接続するフレキシブル基板１０において、回路基板に接続されるフレキシブル基板１０の回路側接続部１４に、回路基板の接続電極部に対応する接続端子部１６を、フレキシブル基板１０の延長方向に沿って複数組配列させて設けた。従って、設計変更や機種変更などによって回路基板の設置位置とアンテナ装置の設置位置とが変更して両者の設置位置がずれても、フレキシブル基板１０の回路側接続部１４にその延長方向に沿って複数組配列された接続端子部１６のいずれかを回路基板の接続電極部に対応させることができ、これによりフレキシブル基板１０の回路側接続部１４を回路基板の接続電極部に確実に接続することができる。【選択図】        図３
2006269566.tif 000002
【特許請求の範囲】
【請求項１】
回路基板とアンテナ装置とを電気的に接続するフレキシブル基板において、
前記フレキシブル基板の一端部には、前記回路基板に接続される回路側接続部が設けられ、この回路側接続部には、前記回路基板に設けられた接続電極部に対応する接続端子部が、前記フレキシブル基板の延長方向に沿って複数組配列して設けられていることを特徴とするフレキシブル基板。
【請求項２】
前記フレキシブル基板の前記回路側接続部は、前記回路基板の前記接続電極部とこれに対応する前記複数組のいずれかの接続端子部とが、位置決め部材によって位置決めされると共に、前記フレキシブル基板側に配置された押え部材を介してビスにより固定されていることを特徴とする請求項１に記載のフレキシブル基板。
【請求項３】
前記フレキシブル基板の前記回路側接続部は、前記複数組の接続端子部のうち、前記回路基板の前記接続電極部に接続される接続端子部までを残して切断されていることを特徴とする請求項１または２に記載のフレキシブル基板。
【請求項４】
前記フレキシブル基板の前記回路側接続部は、前記複数組の接続端子部のうち、前記回路基板の前記接続電極部に接続される接続端子部までを残して折り曲げられていることを特徴とする請求項１または２に記載のフレキシブル基板。
【請求項５】
前記フレキシブル基板の前記回路側接続部における両側縁部には、複数の切込み部が前記複数組の接続端子部間に位置してそれぞれ設けられていることを特徴とする請求項４に記載のフレキシブル基板。
【発明の詳細な説明】
【技術分野】
【０００１】
この発明は、電子腕時計や携帯電話機などの電子機器に用いられるフレキシブル基板に関し、更に詳しくは回路基板とアンテナとを電気的に接続するフレキシブル基板に関する。
【背景技術】
【０００２】
例えば、電子腕時計には、標準時刻の電波を受信して時刻を修正する電波時計がある。この種の電子腕時計においては、特許文献１に記載されているように、時計モジュールの回路基板とアンテナ装置とを電気的に接続する接続部材として、フレキシブル基板を用いている。
【特許文献１】特開２００４−２１４２４５号
【０００３】
このフレキシブル基板は、一端部がアンテナ装置に半田などで電気的に接続された状態で固定されてアンテナ装置と一体化され、この状態で他端部が時計モジュールの回路基板に取外し可能に取り付けられて電気的に接続されている。この場合、回路基板には接続電極部が設けられており、フレキシブル基板の他端部には接続端子部が回路基板の接続電極部に対応して設けられている。
【０００４】
そして、このフレキシブル基板と回路基板とを接続する場合には、回路基板の接続電極部にフレキシブル基板の接続端子部を対応させて重ね合わせ、この状態でビスや位置決めピンなどの締結部材によってフレキシブル基板を回路基板に押え付けて固定することにより、フレキシブル基板を回路基板に電気的に接続している。
【発明の開示】
【発明が解決しようとする課題】
【０００５】
しかしながら、このような従来のフレキシブル基板では、回路基板側の端部に接続端子部を回路基板の接続電極部に対応させて設けた構成であるから、設計変更や機種変更などによって回路基板の設置位置とアンテナ装置の設置位置とが変更になると、両者の設置位置がずれてしまい、フレキシブル基板の接続端子部と回路基板の接続電極部とが対応しなくなり、フレキシブル基板と回路基板とを接続することができなくなるという問題がある。
【０００６】
この発明が解決しようとする課題は、回路基板とアンテナ装置との両者の設置位置がずれても、確実に接続することができるフレキシブル基板を提供することである。
【課題を解決するための手段】
【０００７】
この発明は、上記課題を解決するために、次のような構成要素を備えている。
なお、各構成要素には、後述する各実施形態の項で説明される各要素に付されている図面の参照番号などを括弧と共に付す。
【０００８】
請求項１に記載の発明は、図１〜図９に示すように、回路基板（２）とアンテナ装置（８）とを電気的に接続するフレキシブル基板（１０、３０）において、前記フレキシブル基板の一端部には、前記回路基板に接続される回路側接続部（１４、３１）が設けられ、この回路側接続部には、前記回路基板に設けられた接続電極部（１５）に対応する接続端子部（１６）が、前記フレキシブル基板の延長方向に沿って複数組配列して設けられていることを特徴とするフレキシブル基板である。
【０００９】
請求項２に記載の発明は、図１〜図７に示すように、前記フレキシブル基板（１０）の前記回路側接続部（１４）は、前記回路基板（２）の前記接続電極部（１５）とこれに対応する前記複数組のいずれかの接続端子部（１６）とが、位置決め部材（位置決めピン１７）によって位置決めされると共に、前記フレキシブル基板側に配置された押え部材（押え板１８）を介してビス（１９）により固定されていることを特徴とする請求項１に記載のフレキシブル基板である。
【００１０】
請求項３に記載の発明は、図１〜図７に示すように、前記フレキシブル基板（１０）の前記回路側接続部（１４）が、前記複数組の接続端子部（１６）のうち、前記回路基板（２）の前記接続電極部（１５）に接続される接続端子部までを残して切断されていることを特徴とする請求項１または２に記載のフレキシブル基板である。
【００１１】
請求項４に記載の発明は、図８および図９に示すように、前記フレキシブル基板（３０）の前記回路側接続部（３１）が、前記複数組の接続端子部（１６）のうち、前記回路基板（２）の前記接続電極部（１５）に接続される接続端子部までを残して折り曲げられていることを特徴とする請求項１または２に記載のフレキシブル基板である。
【００１２】
請求項５に記載の発明は、図８および図９に示すように、前記フレキシブル基板（３０）の前記回路側接続部（３１）における両側縁部に、複数の切込み部（３２）が前記複数組の接続端子部（１６）間に位置してそれぞれ設けられていることを特徴とする請求項４に記載のフレキシブル基板である。
【発明の効果】
【００１３】
請求項１に記載の発明によれば、回路基板とアンテナ装置とを電気的に接続するフレキシブル基板において、回路基板に接続されるフレキシブル基板の回路側接続部に、回路基板の接続電極部に対応する接続端子部が、フレキシブル基板の延長方向に沿って複数組配列して設けられているので、設計変更や機種変更などによって回路基板の設置位置とアンテナ装置の設置位置とが変更して両者の設置位置がずれても、フレキシブル基板の回路側接続部にその延長方向に沿って複数組配列された接続端子部のいずれかを回路基板の接続電極部に対応させることができ、これによりフレキシブル基板と回路基板とを確実に接続することができる。
【００１４】
請求項２に記載の発明によれば、フレキシブル基板の回路側接続部は、回路基板の接続電極部とこれに対応する複数組のいずれかの接続端子部とが、位置決め部材によって位置決めされると共に、フレキシブル基板側に配置された押え部材を介してビスにより固定されていることにより、フレキシブル基板を回路基板に接続するときに、位置決め部材によって回路基板の接続電極部とフレキシブル基板の複数組のいずれかの接続端子部とを対応させた状態で位置決めすることができると共に、この状態でビスによって回路基板にフレキシブル基板を固定するときに、押え部材がフレキシブル基板を傷付けないように回路基板に押え付けて確実に固定することができ、これにより接続信頼性の高いものを得ることができる。
【００１５】
請求項３に記載の発明によれば、フレキシブル基板の回路側接続部が、複数組の接続端子部のうち、回路基板の接続電極部に接続される接続端子部までを残して切断されていることにより、フレキシブル基板の回路側接続部に複数組の接続端子部が配列されていても、不要な接続端子部を除去することができ、これによりフレキシブル基板の回路側接続部を最適な長さにすることができると共に、不要な接続端子部が邪魔にならず、良好にフレキシブル基板を回路基板に接続することができる。
【００１６】
請求項４に記載の発明によれば、フレキシブル基板の回路側接続部が、複数組の接続端子部のうち、回路基板の接続電極部に接続される接続端子部までを残して折り曲げられていることにより、フレキシブル基板の回路側接続部に複数組の接続端子部が配列されていても、不要な接続端子部を折り返すことができ、これにより請求項３に記載の発明と同様、フレキシブル基板の回路側接続部を最適な長さにすることができると共に、不要な接続端子部が邪魔にならず、良好にフレキシブル基板を回路基板に接続することができる。
【００１７】
請求項５に記載の発明によれば、フレキシブル基板の回路側接続部における両側縁部に、複数の切込み部が複数組の接続端子部間に位置してそれぞれ設けられていることにより、フレキシブル基板の回路側接続部に設けられた不要な接続端子部を折り曲げるときに、複数組の接続端子部間に位置してそれぞれ設けられた切込み部によってフレキシブル基板の回路側接続部を容易に且つ良好に折り曲げることができ、これにより接続作業を向上させることができる。
【発明を実施するための最良の形態】
【００１８】
（実施形態１）
以下、図１〜図７を参照して、この発明を電子腕時計の時計モジュールに適用した実施形態１について説明する。
図１は電子腕時計の時計モジュールを裏面側から見た図、図２はそのフレキシブル基板を示した拡大図、図３はそのフレキシブル基板を裏面側から見た図、図４は図１のＡ−Ａ矢視における拡大断面図である。
この時計モジュールは、電子腕時計に組み込まれるものであり、合成樹脂製のハウジング１を備えている。
【００１９】
このハウジング１の裏面（図１では表面）には、図１に示すように、回路基板２が配置されており、この回路基板２の裏面（図１では表面）には、地板３が電池収納部４を除いて配置されている。回路基板２には、時刻などの情報を表示する表示素子（図示せず）が設けられているほか、時計機能に必要な各種の電子部品が搭載されている。また、地板３は、その周縁部に複数の係合フック５が設けられ、この係合フック５がハウジング１の側面に設けられた複数の係止突起６に係脱可能に係合することにより、回路基板２を挟み付けてハウジング１に取り付けられている。なお、電池収納部４内には、電池７が着脱可能に収納されている。
【００２０】
また、回路基板２の１２時側には、図１に示すように、アンテナ装置８がフレキシブル基板１０によって電気的に接続されている。このアンテナ装置８は、コアの外周にコイルを巻き付けた構成のもので、スーパーヘテロダイン方式の検波回路を採用していることにより、フレキシブル基板１０にトリミング用のチップコンデンサを搭載する必要がない構成になっている。
【００２１】
フレキシブル基板１０は、図２および図３に示すように、絶縁性を有するフィルム１１に複数の配線１２が設けられ、全体がほぼＬ字形状に形成されている。このフレキシブル基板１０は、その一端部にアンテナ側接続部１３が設けられていると共に、他端部に回路側接続部１４が設けられ、アンテナ側接続部１３と回路側接続部１４とが複数の配線１２によって電気的に接続され、この状態でアンテナ側接続部１３にアンテナ装置８が接続され、回路側接続部１４に回路基板２が接続されるように構成されている。
【００２２】
この場合、アンテナ装置８は、図１に示すように、その一端部(図１では右端部)にフレキシブル基板１０のアンテナ側接続部１３が位置決めボス８ａによって位置決めされて配置されていると共に、図７に示すように、アンテナ装置８のコイルの各端部がアンテナ側接続部１３の各接続端子１３ａに半田８ｂによってそれぞれ接合され、これによりフレキシブル基板１０のアンテナ側接続部１３に一体的に取り付けられている。また、回路基板２の１２時側の所定箇所には、図５に示すように、接続電極部１５が設けられている。この接続電極部５には、一対の電極１５ａと、これら電極１５ａの各領域内にそれぞれ位置する回路側位置決め孔１５ｂと、各電極１５ａ間に位置する回路側取付孔１５ｃとが設けられている。
【００２３】
一方、フレキシブル基板１０の回路側接続部１４は、図２および図３に示すように、フレキシブル基板１０の他端部からその延長方向に沿って延出され、この延出された部分に回路基板２の接続電極部１５に対応する接続端子部１６が、フレキシブル基板１０の延長方向に沿って複数組（図２および図３では４組）配列された構成になっている。この場合、複数組の接続端子部１６には、図３に示すように、回路基板２の接続電極部１５の各電極１５ａに対応する一対の端子１６ａと、回路基板２の各回路側位置決め孔１５ｂに対応する一対のフレキシブル側位置決め孔１６ｂと、回路基板２の回路側取付孔１５ｃに対応する１つのフレキシブル側取付孔１６ｃとがそれぞれ設けられている。
【００２４】
このフレキシブル基板１０の回路側接続部１４と回路基板２の接続電極部１５とは、図４に示すように、ハウジング１に設けられた一対の位置決めピン１７によって位置決めされ、この状態でフレキシブル基板１０側に配置された押え板１８を介してビス１９によりハウジング１に固定されるように構成されている。
【００２５】
すなわち、一対の位置決めピン１７は、回路基板２の回路側位置決め孔１５ｂにそれぞれ挿入すると共に、フレキシブル基板１０の回路側接続部１４に複数組設けられた接続端子部１６のうち、いずれか１組の接続端子部１６のフレキシブル側位置決め孔１６ｂに挿入することにより、そのいずれか１組の接続端子部１６の端子１６ａと回路基板２の接続電極部１５の電極１５ａとを対応させると共に、その１組の接続端子部１６のフレキシブル側取付孔１６ｃと回路基板２の回路側取付孔１５ｃとを対応させるように構成されている。
【００２６】
また、押え板１８は、図１に示すように、回路基板２の接続電極部１５とほぼ同じ大きさに形成された平板であり、この押え板１８には、図４に示すように、位置決めピン１７がそれぞれ挿入する一対の位置決め孔１８ａがフレキシブル基板１０のフレキシブル側位置決め孔１６ｂと回路基板２の回路側位置決め孔１５ｂとに対応して設けられていると共に、ビス１９が挿入するビス取付孔１８ｂがフレキシブル基板１０のフレキシブル側取付孔１６ｃと回路基板２の回路側取付孔１５ｃとに対応して設けられている。
【００２７】
また、ビス１９は、図４に示すように、押え板１８のビス取付孔１８ｂからフレキシブル基板１０のフレキシブル側取付孔１６ｃと回路基板２の回路側取付孔１５ｃとを通してハウジング１のハウジング側取付孔１ａに挿入し、このハウジング側取付孔１ａ内に設けられた支柱２０のねじ孔２０ａに螺着するように構成されている。この場合、フレキシブル基板１０の回路側接続部１４は、図１に示すように、アンテナ装置８の設置位置と回路基板２の設置位置とに応じて、図６に示すように、複数組の接続端子部１６のうち、回路基板２の接続電極部１５に接続される接続端子部１６までを残して切断されるように構成されている。
【００２８】
次に、このフレキシブル基板１０によって回路基板２とアンテナ装置８とを接続する場合について説明する。
予め、フレキシブル基板１０の一端部に設けられたアンテナ側接続部１３をアンテナ装置８の一端部に位置決めボス８ａによって位置決めして配置すると共に、フレキシブル基板１０のアンテナ側接続部１３の各接続端子１３ａにアンテナ装置８のコイルの各端部を半田８ｂによって接合し、これによりフレキシブル基板１０にアンテナ装置８を電気的に接続した状態で一体的に設ける。
【００２９】
この後、アンテナ装置８の設置位置と回路基板２の設置位置とを確認して、アンテナ装置８と回路基板２とを所定位置に配置する。このときには、ハウジング１に回路基板２を配置すると、図４に示すように、ハウジング１に形成された一対の位置決めピン１７が回路基板２の回路側位置決め孔１５ｂにそれぞれ挿入して、回路基板２がハウジング１に位置決めされる。この状態で、フレキシブル基板１０の他端部に設けられた回路側接続部１４の接続位置、つまり回路側接続部１４に設けられた複数組の接続端子部１６のうち、いずれの接続端子部１６が回路基板２の接続電極部１５に対応するかを確認する。
【００３０】
すなわち、アンテナ装置８と回路基板２とを所定位置に配置すると、回路基板２の接続電極部１５に対するフレキシブル基板１０の回路側接続部１４の接続位置が確定するので、この回路側接続部１４に設けられた複数組の接続端子部１６のうち、いずれかの接続端子部１６が回路基板２の接続電極部１５に対応する。この状態で、回路基板２の接続電極部１５に対応するフレキシブル基板１０の接続端子部１６までを残して、図６に示すように、フレキシブル基板１０の回路側接続部１４を切断する。
【００３１】
この後、回路基板２の接続電極部１５に対応する接続端子部１６のフレキシブル側位置決め孔１６ｂにハウジング１の位置決めピン１７を挿入させる。すると、図４に示すように、位置決めピン１７によってフレキシブル基板１０の回路側接続部１４が回路基板２に対して位置決めされ、これによりフレキシブル基板１０の所定の１組の接続端子部１６のみが回路基板２の接続電極部１５に対応する。
【００３２】
このときには、フレキシブル基板１０の１組の接続端子部１６の各端子１６ａが回路基板２の各電極１５ａに対応し、接続端子部１６の各フレキシブル側位置決め孔１６ｂが回路基板２の各回路側位置決め孔１５ｂに対応し、接続端子部１６のフレキシブル側取付孔１６ｃが回路基板２の回路側取付孔１５ｃに対応する。この後、図４に示すように、フレキシブル基板１０上に押え板１８を配置するときに、押え板１８の位置決め孔１８ａにハウジング１の位置決めピン１７を挿入すると、押え板１８のビス取付孔１８ｂがフレキシブル基板１０のフレキシブル側取付孔１６ｃと回路基板２の回路側取付孔１５ｃとに対応すると共に、ハウジング１のハウジング側取付孔１ａに対応する。
【００３３】
この状態で、押え板１８のビス取付孔１８ｂにビス１９を挿入させ、このビス１９の先端をフレキシブル基板１０のフレキシブル側取付孔１６ｃと回路基板２の回路側取付孔１５ｃとを通してハウジング１のハウジング側取付孔１ａに挿入させ、このハウジング側取付孔１ａ内に設けられた支柱２０のねじ孔２０ａに螺着することにより、ビス１９によって押え板１８がフレキシブル基板１０を回路基板２に押し付けてハウジング１に固定する。
【００３４】
このように、この時計モジュールのフレキシブル基板１０によれば、回路基板２に接続されるフレキシブル基板１０の回路側接続部１４に、回路基板２の接続電極部１５に対応する接続端子部１６が、フレキシブル基板１０の延長方向に沿って複数組配列して設けられているので、設計変更や機種変更などによって回路基板２の設置位置とアンテナ装置８の設置位置とが変更して両者の設置位置がずれても、フレキシブル基板１０の回路側接続部１４にその延長方向に沿って複数組配列された各接続端子部１６のいずれかを回路基板２の接続電極部１５に対応させることができ、これによりフレキシブル基板１０を回路基板２に確実に接続することができる。
【００３５】
この場合、フレキシブル基板１０の回路側接続部１４は、回路基板２の接続電極部１５とこれに対応する複数組のいずれかの接続端子部１６とが、ハウジング１の位置決めピン１７によって位置決めされると共に、フレキシブル基板１０側に配置された押え板１８を介してビス１９により固定されることにより、フレキシブル基板１０を回路基板２に接続するときに、位置決めピン１７によって回路基板２の接続電極部１５とフレキシブル基板１０の複数組のいずれかの接続端子部１６とを対応させた状態で位置決めすることができると共に、この状態でビス１９によってフレキシブル基板１０を回路基板２に固定するときに、押え板１８がフレキシブル基板１０を傷付けないように回路基板２に押え付けて確実に固定することができ、これにより接続信頼性の高いものを得ることができる。
【００３６】
また、フレキシブル基板１０の回路側接続部１４は、図６に示すように、複数組の接続端子部１６のうち、回路基板２の接続電極部１５に接続される接続端子部１６までを残して切断されているので、フレキシブル基板１０の回路側接続部１４に複数組の接続端子部１６が配列されていても、不要な接続端子部１６を除去することができ、これによりフレキシブル基板１０の回路側接続部１４を最適な長さにすることができると共に、不要な接続端子部１６が邪魔にならず、良好にフレキシブル基板１０の回路側接続部１４を回路基板２の接続電極部１５に接続することができる。
【００３７】
（実施形態２）
次に、図８および図９を参照して、この発明を時計モジュールに適用した実施形態２について説明する。なお、図１〜図７に示された実施形態１と同一部分には同一符号を付して説明する。
この時計モジュールは、フレキシブル基板３０の回路側接続部３１が実施形態１と異なる構成で、これ以外は実施形態１とほぼ同じ構成になっている。
【００３８】
すなわち、フレキシブル基板３０の回路側接続部３１は、実施形態１と同様、フレキシブル基板３０の端部からその延長方向に沿って延出され、この延出された部分に回路基板２の接続電極部１５に対応する接続端子部１６が、フレキシブル基板１０の延長方向に沿って複数組（図８では４組）配列された構成になっている。この場合、複数組の接続端子部１６には、図８に示すように、回路基板２の接続電極部１５の各電極１５ａに対応する一対の端子１６ａと、回路基板２の各回路側位置決め孔１５ｂに対応する一対のフレキシブル側位置決め孔１６ｂと、回路基板２の回路側取付孔１５ｃに対応する１つのフレキシブル側取付孔１６ｃとがそれぞれ設けられている。
【００３９】
また、このフレキシブル基板３０の回路側接続部３１は、図８に示すように、その両側縁部に複数の切込み部３２が複数組の接続端子部１６間に位置した状態でそれぞれ設けられていると共に、図９に示すように、複数組の接続端子部１６のうち、回路基板２の接続電極部１５に接続される接続端子部１６までを残して切込み部３２の箇所で折り曲げられるように構成されている。なお、このフレキシブル基板３０の回路側接続部３１と回路基板２の接続電極部１５とは、実施形態１と同様、ハウジング１の位置決めピン１７によって位置決めされると共に、フレキシブル基板３０側に配置された押え板１８を介してビス１９によりハウジング１に押え付けられて固定されるように構成されている。
【００４０】
次に、このフレキシブル基板３０の回路側接続部３１を回路基板２の接続電極部１５に接続する場合について説明する。このときには、実施形態１と同様、回路基板２をハウジング１に位置決めし、この状態でアンテナ装置８が接続されて一体的に設けられたフレキシブル基板３０の回路側接続部３１に設けられた複数組の接続端子部１６のうち、いずれの接続端子部１６が回路基板２の接続電極部１５に対応するかを確認する。すなわち、アンテナ装置８と回路基板２とを所定位置に配置すると、回路基板２の接続電極１５に対するフレキシブル基板３０の回路側接続部３１の接続位置が確定するので、この回路側接続部３における複数組の接続端子部１６のうち、いずれかの接続端子部１６が回路基板２の接続電極部１５に対応する。
【００４１】
この状態で、回路基板２の接続電極部１５に対応するフレキシブル基板３０の接続端子部１６までを残して、図８および図９に示すように、切込み部３２の箇所でフレキシブル基板３０の回路側接続部３１を折り曲げて重ね合わせる。このときには、折り曲げられた接続端子部１６が回路基板２の接続電極部１５に対応する接続端子部１６に重なり合い、この重なり合った両者の接続端子部１６の端子１６ａ同士、フレキシブル側位置決め孔１６ｂ同士、およびフレキシブル側取付孔１６ｃ同士がそれぞれ対応する。
【００４２】
このため、回路基板２の接続電極部１５に対応する接続端子部１６のフレキシブル側位置決め孔１６ｂにハウジング１の位置決めピン１７を挿入させると、折り返された接続端子部１６のフレキシブル側位置決め孔１６ｂにも位置決めピン１７が挿入し、これによりフレキシブル基板３０の回路側接続部３１が回路基板２に対して位置決めされる。これにより、フレキシブル基板３０の１組の接続端子部１６の各端子１６ａが回路基板２の各電極１５ａに対応し、接続端子部１６の各フレキシブル側位置決め孔１６ｂが回路基板２の回路側位置決め孔１５ｂに対応し、接続端子部１６のフレキシブル側取付孔１６ｃが回路基板２の回路側取付孔１５ｃに対応する。
【００４３】
この状態で、図４に示したように、フレキシブル基板３０上に押え板１８を配置し、この押え板１８のビス取付孔１８ｂにビス１９を挿入させ、このビス１９の先端をフレキシブル基板３０のフレキシブル側取付孔１６ｃと回路基板２の回路側取付孔１５ｃとを通してハウジング１のハウジング側取付孔１ａに挿入させ、このハウジング側取付孔１ａ内に設けられた支柱２０のねじ孔２０ａに螺着することにより、ビス１９によって押え板１８がフレキシブル基板３０の回路側接続部３１を回路基板２の接続電極部１５に押し付けて固定する。
【００４４】
このように、このフレキシブル基板３０によれば、実施形態１と同様、設計変更や機種変更などによって回路基板２の設置位置とアンテナ装置８の設置位置とが変更して両者の設置位置がずれても、フレキシブル基板３０の回路側接続部３１にその延長方向に沿って複数組配列された接続端子部１６のいずれかを回路基板２の接続電極部１５に対応させることができ、これによりフレキシブル基板３０を回路基板２に確実に接続することができる。
【００４５】
この場合、特にフレキシブル基板３０の回路側接続部３１は、複数組の接続端子部１６のうち、回路基板２の接続電極部１５に接続される接続端子部１６までを残して折り曲げられることにより、フレキシブル基板３０の回路側接続部３１に複数組の接続端子部１６が配列されていても、図９に示すように、不要な接続端子部１６を折り返すことができるので、これによっても実施形態１と同様、フレキシブル基板３０の回路側接続部３１を最適な長さにすることができると共に、不要な接続端子部１６が邪魔にならず、良好にフレキシブル基板３０の回路側接続部３１を回路基板２の接続電極部１５に接続することができる。
【００４６】
また、フレキシブル基板３０の回路側接続部３１における両側縁部には、図８に示すように、複数の切込み部３２が複数組の接続端子部１６間に位置してそれぞれ設けられていることにより、フレキシブル基板３０の回路側接続部３１に設けられた不要な接続端子部１６を折り曲げるときに、複数組の接続端子部１６間に位置してそれぞれ設けられた切込み部３２によってフレキシブル基板３０の回路側接続部３１を容易に且つ良好に折り曲げることができ、これにより接続作業を向上させることができる。
【００４７】
なお、上記実施形態１または２では、電子腕時計に組み込まれる時計モジュールに適用した場合について述べたが、必ずしも電子腕時計の時計モジュールである必要はなく、例えばトラベルウォッチ、置き時計、目覚まし時計、掛け時計などの時計モジュールにも適用することができるほか、携帯電話機やＰＤＡ（パーソナル・デジタル・アシスタント）などのアンテナ装置を備えた電子機器にも広く適用することができる。
【図面の簡単な説明】
【００４８】
【図１】この発明を適用した電子腕時計の時計モジュールを裏面側から見た図である。（実施形態１）
【図２】図１のフレキシブル基板を示した拡大図である。
【図３】図２のフレキシブル基板を裏面側から見た図である。
【図４】図１のＡ−Ａ矢視における拡大断面図である。
【図５】図１の回路基板の接続電極部を示した拡大図である。
【図６】図２のフレキシブル基板の回路側接続部における複数組の接続端子部のうち、回路基板の接続電極部に対応する接続端子部を残して切断した状態を示した拡大図である。
【図７】図１のアンテナ装置が取り付けられたフレキシブル基板の回路側接続部を所定箇所で切断して回路基板に取り付ける状態を示した拡大側面図である。
【図８】この発明を適用した時計モジュールのフレキシブル基板を裏面側から見た拡大図である。（実施形態２）
【図９】図８のフレキシブル基板の回路側接続部における複数組の接続端子部のうち、回路基板の接続電極部に対応する接続端子部を残して折り曲げて回路基板に取り付ける状態を示した拡大側面図である。
【符号の説明】
【００４９】
１  ハウジング
２  回路基板
８  アンテナ装置
１０、３０  フレキシブル基板
１３  アンテナ側接続部
１４、３１  回路側接続部
１５  接続電極部
１６  接続端子部
１７  位置決めピン
１８  押え板
１９  ビス
３２  切込み部
【図１】
2006269566.tif 000003
【図２】
2006269566.tif 000004
【図３】
2006269566.tif 000005
【図４】
2006269566.tif 000006
【図５】
2006269566.tif 000007
【図６】
2006269566.tif 000008
【図７】
2006269566.tif 000009
【図８】
2006269566.tif 000010
【図９】
2006269566.tif 000011